(57)【要約】【課題】本発明は、光音響イメージングによってＬＶＡの効果判定に有用な情報を生成するための技術を提供することを目的とする。【解決手段】本発明の一実施形態に係る画像処理装置は、リンパ管静脈吻合術の前に被検体への光照射により発生した光音響波に基づいて生成された第１画像、および、リンパ管静脈吻合術の後に被検体への光照射により発生した光音響波に基づいて生成された第２画像を取得する画像取得手段と、前記第１画像および前記第２画像をそれぞれ解析することにより、前記第１画像の特徴量および前記第２画像の特徴量を算出する特徴量算出手段と、前記第１画像の特徴量および前記第２画像の特徴量に基づいて、リンパ管静脈吻合術が前記被検体に与えた変化を示す評価情報を生成する評価手段と、を有する。【選択図】図１
2020028671.tif 000002
【特許請求の範囲】
【請求項１】
リンパ管静脈吻合術の前に被検体への光照射により発生した光音響波に基づいて生成された第１画像、および、リンパ管静脈吻合術の後に前記被検体への光照射により発生した光音響波に基づいて生成された第２画像を取得する画像取得手段と、
前記第１画像および前記第２画像をそれぞれ解析することにより、前記第１画像の特徴量および前記第２画像の特徴量を算出する特徴量算出手段と、
前記第１画像の特徴量および前記第２画像の特徴量に基づいて、リンパ管静脈吻合術が前記被検体に与えた変化を示す評価情報を生成する評価手段と、
を有することを特徴とする画像処理装置。
【請求項２】
前記画像取得手段は、記憶装置に記憶された画像群に紐づけられた付帯情報またはカルテ情報を参照し、前記第１画像および前記第２画像を前記記憶装置から取得する
ことを特徴とする請求項１に記載の画像処理装置。
【請求項３】
前記特徴量算出手段による特徴量の算出処理の前に、前記第１画像と前記第２画像の条件をそろえるための前処理を行う前処理手段
をさらに有することを特徴とする請求項１または２に記載の画像処理装置。
【請求項４】
前記前処理は、前記第１画像と前記第２画像との位置合わせを行う処理を含む
ことを特徴とする請求項３に記載の画像処理装置。
【請求項５】
前記第１画像および前記第２画像は、血管像を含み、
前記前処理手段は、血管像に基づいて前記第１画像と前記第２画像との位置合わせを行う
ことを特徴とする請求項４に記載の画像処理装置。
【請求項６】
前記前処理手段は、静脈の血管像に基づいて前記第１画像と前記第２画像との位置合わせを行う
ことを特徴とする請求項５に記載の画像処理装置。
【請求項７】
前記前処理は、前記第１画像と前記第２画像のそれぞれから特徴量の算出に用いる像を分離する処理を含む
ことを特徴とする請求項３から６のいずれか１項に記載の画像処理装置。
【請求項８】
前記第１画像および前記第２画像は、リンパ管像を含み、
前記特徴量は、リンパ管像から算出される特徴量である
ことを特徴とする請求項１から７のいずれか１項に記載の画像処理装置。
【請求項９】
前記特徴量は、リンパ管の密度、または、リンパ管の蛇行率である
ことを特徴とする請求項８に記載の画像処理装置。
【請求項１０】
前記第１画像および前記第２画像は、血管像を含み、
前記特徴量は、血管像から算出される特徴量である
ことを特徴とする請求項１から７のいずれか１項に記載の画像処理装置。
【請求項１１】
前記特徴量は、血管像のコントラスト、空間微分値、または、空間周波数である
ことを特徴とする請求項１０に記載の画像処理装置。
【請求項１２】
前記第１画像および前記第２画像は、血管像とリンパ管像とを含み、
前記特徴量は、リンパ管像と血管像とから算出される特徴量である
ことを特徴とする請求項１から７のいずれか１項に記載の画像処理装置。
【請求項１３】
前記第１画像と前記第２画像と共に前記評価情報を表示手段に表示させる表示制御手段を更に有する
ことを特徴とする請求項１から１２のいずれか１項に記載の画像処理装置。
【請求項１４】
前記表示制御手段は、時系列に生成された複数の前記第１画像および複数の前記第２画像の少なくとも一つを動画像として表示させる
ことを特徴とする請求項１３に記載の画像処理装置。
【請求項１５】
前記表示制御手段は、前記動画像を早送り表示可能である
ことを特徴とする請求項１４に記載の画像処理装置。
【請求項１６】
前記表示制御手段は、前記動画像を繰り返し表示可能である
ことを特徴とする請求項１４または１５に記載の画像処理装置。
【請求項１７】
時系列の前記第１画像は、リンパ管静脈吻合術の前に前記被検体への複数回の光照射のそれぞれに対応する３次元画像データを含み、
時系列の前記第２画像は、リンパ管静脈吻合術の後に前記被検体への複数回の光照射のそれぞれに対応する３次元画像データを含む
ことを特徴とする請求項１４から１６のいずれか１項に記載の画像処理装置。
【請求項１８】
前記第１画像および前記第２画像の少なくとも一つと、前記評価情報とを関連づけて記憶させる記憶制御手段を更に有する
ことを特徴とする請求項１から１７のいずれか１項に記載の画像処理装置。
【請求項１９】
前記第１画像および前記第２画像は、ＤＩＣＯＭに準拠した画像であり、
前記記憶制御手段は、前記評価情報を前記第１画像および前記第２画像の少なくとも一つのＤＩＣＯＭタグに書き込む
ことを特徴とする請求項１８に記載の画像処理装置。
【請求項２０】
前記第２画像の中のリンパ管静脈吻合術の吻合位置の情報を取得する吻合位置取得手段を更に有し、
前記記憶制御手段は、前記評価情報と前記吻合位置の情報とを前記第２画像のＤＩＣＯＭタグに書き込む
ことを特徴とする請求項１９に記載の画像処理装置。
【請求項２１】
前記第１画像および前記第２画像は、造影剤が導入された前記被検体に光を照射することにより発生した光音響波に基づいて生成された光音響画像である
ことを特徴とする請求項１から２０のいずれか１項に記載の画像処理装置。
【請求項２２】
前記第１画像および前記第２画像は、造影剤が導入された前記被検体に互いに異なる複数の波長の光を照射することにより発生した光音響波に基づいた、前記複数の波長のそれぞれに対応する光音響信号を用いて生成された、分光画像である
ことを特徴とする請求項１から２０のいずれか１項に記載の画像処理装置。
【請求項２３】
リンパ管静脈吻合術の前に被検体への光照射により発生した光音響波に基づいて生成された第１画像、および、リンパ管静脈吻合術の後に前記被検体への光照射により発生した光音響波に基づいて生成された第２画像を取得し、
前記第１画像および前記第２画像をそれぞれ解析することにより、前記第１画像の特徴量および前記第２画像の特徴量を算出し、
前記第１画像の特徴量および前記第２画像の特徴量に基づいて、リンパ管静脈吻合術が前記被検体に与えた変化を示す評価情報を生成する
ことを特徴とする画像処理方法。
【請求項２４】
前記第１画像および前記第２画像は、記憶装置に記憶された画像群に紐づけられた付帯情報またはカルテ情報を参照し、前記記憶装置から取得される
ことを特徴とする請求項２３に記載の画像処理方法。
【請求項２５】
特徴量の算出処理の前に、前記第１画像と前記第２画像の条件をそろえるための前処理が行われる
ことを特徴とする請求項２３または２４に記載の画像処理方法。
【請求項２６】
前記前処理は、前記第１画像と前記第２画像との位置合わせを行う処理を含む
ことを特徴とする請求項２５に記載の画像処理方法。
【請求項２７】
前記第１画像および前記第２画像は、血管像を含み、
血管像に基づいて前記第１画像と前記第２画像との位置合わせが行われる
ことを特徴とする請求項２６に記載の画像処理方法。
【請求項２８】
静脈の血管像に基づいて前記第１画像と前記第２画像との位置合わせが行われる
ことを特徴とする請求項２７に記載の画像処理方法。
【請求項２９】
前記前処理は、前記第１画像と前記第２画像のそれぞれから特徴量の算出に用いる像を分離する処理を含む
ことを特徴とする請求項２５から２８のいずれか１項に記載の画像処理方法。
【請求項３０】
前記第１画像および前記第２画像は、リンパ管像を含み、
前記特徴量は、リンパ管像から算出される特徴量である
ことを特徴とする請求項２３から２９のいずれか１項に記載の画像処理方法。
【請求項３１】
前記特徴量は、リンパ管の密度、または、リンパ管の蛇行率である
ことを特徴とする請求項３０に記載の画像処理方法。
【請求項３２】
前記第１画像および前記第２画像は、血管像を含み、
前記特徴量は、血管像から算出される特徴量である
ことを特徴とする請求項２３から２９のいずれか１項に記載の画像処理方法。
【請求項３３】
前記特徴量は、血管像のコントラスト、空間微分値、または、空間周波数である
ことを特徴とする請求項３２に記載の画像処理方法。
【請求項３４】
前記第１画像および前記第２画像は、血管像とリンパ管像とを含み、
前記特徴量は、リンパ管像と血管像とから算出される特徴量である
ことを特徴とする請求項２３から２９のいずれか１項に記載の画像処理方法。
【請求項３５】
前記第１画像と前記第２画像と共に前記評価情報を表示手段に表示させる表示制御を更に有する
ことを特徴とする請求項２３から３４のいずれか１項に記載の画像処理方法。
【請求項３６】
前記表示制御は、時系列に生成された複数の前記第１画像および複数の前記第２画像の少なくとも一つを動画像として表示させる制御を含む
ことを特徴とする請求項３５に記載の画像処理方法。
【請求項３７】
前記表示制御は、前記動画像を早送り表示する制御を含む
ことを特徴とする請求項３６に記載の画像処理方法。
【請求項３８】
前記表示制御は、前記動画像を繰り返し表示する制御を含む
ことを特徴とする請求項３６または３７に記載の画像処理方法。
【請求項３９】
時系列の前記第１画像は、リンパ管静脈吻合術の前に前記被検体への複数回の光照射のそれぞれに対応する３次元画像データを含み、
時系列の前記第２画像は、リンパ管静脈吻合術の後に前記被検体への複数回の光照射のそれぞれに対応する３次元画像データを含む
ことを特徴とする請求項３６から３８のいずれか１項に記載の画像処理方法。
【請求項４０】
前記第１画像および前記第２画像の少なくとも一つと、前記評価情報とを関連づけて記憶させる
ことを特徴とする請求項２３から３９のいずれか１項に記載の画像処理方法。
【請求項４１】
前記第１画像および前記第２画像は、ＤＩＣＯＭに準拠した画像であり、
前記評価情報を前記第１画像および前記第２画像の少なくとも一つのＤＩＣＯＭタグに書き込む
ことを特徴とする請求項４０に記載の画像処理方法。
【請求項４２】
前記第２画像の中のリンパ管静脈吻合術の吻合位置の情報を取得し、
前記評価情報と前記吻合位置の情報とを前記第２画像のＤＩＣＯＭタグに書き込む
ことを特徴とする請求項４１に記載の画像処理方法。
【請求項４３】
前記第１画像および前記第２画像は、造影剤が導入された前記被検体に光を照射することにより発生した光音響波に基づいて生成された光音響画像である
ことを特徴とする請求項２３から４２のいずれか１項に記載の画像処理方法。
【請求項４４】
前記第１画像および前記第２画像は、造影剤が導入された前記被検体に互いに異なる複数の波長の光を照射することにより発生した光音響波に基づいた、前記複数の波長のそれぞれに対応する光音響信号を用いて生成された、分光画像である
ことを特徴とする請求項２３から４２のいずれか１項に記載の画像処理方法。
【請求項４５】
請求項２３から４４のいずれか１項に記載の画像処理方法をコンピュータに実行させるためのプログラム。
【発明の詳細な説明】
【技術分野】
【０００１】
本発明は、光音響イメージングにより生成された画像に対する画像処理に関する。
【背景技術】
【０００２】
血管やリンパ管等の検査において、造影剤を利用した光音響イメージング（「光超音波イメージング」ともよぶ。）が知られている。特許文献１には、リンパ節やリンパ管などの造影のために用いられる造影剤を評価対象とし、その造影剤が吸収して光音響波を発生する波長の光を出射する光音響画像生成装置が記載されている。
【先行技術文献】
【特許文献】
【０００３】
【特許文献１】国際公開第２０１７／００２３３７号
【発明の概要】
【発明が解決しようとする課題】
【０００４】
リンパ浮腫の外科的治療法として、リンパ管静脈吻合術（ＬＶＡ：Ｌｙｍｐｈａｔｉｃｏ−Ｖｅｎｏｕｓ  Ａｎａｓｔｏｍｏｓｉｓ）が知られている。ＬＶＡは、リンパ管と静脈とを吻合してリンパ液のバイパスを形成し、溜まったリンパ液を静脈に流すことによって、リンパ浮腫を改善する治療法である。
従来、ＬＶＡの効果判定は、術後の経過観察において患部のむくみが改善したかどうかを調べるという方法が一般的である。しかしながら、医療現場においては、ＬＶＡの効果をより直接的あるいは定量的に評価することのできる方法が要望されている。
【０００５】
そこで本発明は、光音響イメージングによってＬＶＡの効果判定に有用な情報を生成するための技術を提供することを目的とする。
【課題を解決するための手段】
【０００６】
本発明の一実施形態に係る画像処理装置は、リンパ管静脈吻合術の前に被検体への光照射により発生した光音響波に基づいて生成された第１画像、および、リンパ管静脈吻合術の後に被検体への光照射により発生した光音響波に基づいて生成された第２画像を取得する画像取得手段と、前記第１画像および前記第２画像をそれぞれ解析することにより、前記第１画像の特徴量および前記第２画像の特徴量を算出する特徴量算出手段と、前記第１画像の特徴量および前記第２画像の特徴量に基づいて、リンパ管静脈吻合術が前記被検体に与えた変化を示す評価情報を生成する評価手段と、を有する。
【発明の効果】
【０００７】
本発明によれば、光音響イメージングによってＬＶＡの効果判定に有用な情報を生成するための技術を提供することができる。
【図面の簡単な説明】
【０００８】
【図１】本発明の一実施形態に係るシステムのブロック図
【図２】本発明の一実施形態に係る画像処理装置とその周辺構成の具体例を示すブロック図
【図３】本発明の一実施形態に係る光音響装置の詳細なブロック図
【図４】本発明の一実施形態に係るプローブの模式図
【図５】本発明の一実施形態に係る画像処理方法のフロー図
【図６】ＩＣＧの濃度を変化させたときの吸収係数スペクトルを示すグラフ
【図７】波長の組み合わせを変化させたときの、造影剤に対応する式（１）の計算値の等高線グラフ
【図８】ＩＣＧの濃度を変化させたときの、造影剤に対応する式（１）の計算値を示す折れ線グラフ
【図９】オキシヘモグロビンとデオキシヘモグロビンのモラー吸収係数スペクトルを示すグラフ
【図１０】本発明の一実施形態に係るＧＵＩを示す図
【図１１】ＩＣＧの濃度を変化させたときの右前腕伸側の分光画像
【図１２】ＩＣＧの濃度を変化させたときの左前腕伸側の分光画像
【図１３】ＩＣＧの濃度を変化させたときの右下腿内側および左下腿内側の分光画像
【図１４】ＬＶＡの効果判定処理のフロー図
【図１５】前処理の一例を模式的に示す図
【図１６】評価情報出力画面の一例を示す図
【発明を実施するための形態】
【０００９】
以下に図面を参照しつつ、本発明の好適な実施の形態について説明する。ただし、以下に記載されている構成部品の寸法、材質、形状およびそれらの相対配置などは、発明が適用される装置の構成や各種条件により適宜変更されるべきものである。よって、この発明の範囲を以下の記載に限定する趣旨のものではない。
【００１０】
本発明に係るシステムにより得られる光音響画像は、光エネルギーの吸収量や吸収率を反映している。光音響画像は、光音響波の発生音圧（初期音圧）、光吸収エネルギー密度、及び光吸収係数などの少なくとも１つの被検体情報の空間分布を表す画像である。光音響画像は、２次元の空間分布を表す画像であってもよいし、３次元の空間分布を表す画像（ボリュームデータ）であってもよい。本実施形態に係るシステムは、造影剤が導入された被検体を撮影することにより光音響画像を生成する。なお、造影対象の立体構造を把握するために、光音響画像は、被検体表面から深さ方向の２次元の空間分布を表す画像または３次元の空間分布を表す画像であってもよい。
【００１１】
また、本発明に係るシステムは、複数の波長に対応する複数の光音響画像を用いて被検体の分光画像を生成することができる。本発明の分光画像は、被検体に互いに異なる複数の波長の光を照射することにより発生した光音響波に基づいた、複数の波長のそれぞれに対応する光音響信号を用いて生成された画像である。
なお、分光画像は、複数の波長のそれぞれに対応する光音響信号を用いて生成された、被検体中の特定物質の濃度を示す画像であってもよい。使用する造影剤の光吸収係数スペクトルと、特定物質の光吸収係数スペクトルとが異なる場合、分光画像中の造影剤の画像値と分光画像中の特定物質の画像値とは異なる。よって、分光画像の画像値に応じて造影剤の領域と特定物質の領域とを区別することができる。なお、特定物質としては、ヘモグロビン、グルコース、コラーゲン、メラニン、脂肪や水など、被検体を構成する物質が挙げられる。この場合にも、特定物質の光吸収係数スペクトルとは異なる光吸収スペクトルを有する造影剤を選択する必要がある。また、特定物質の種類に応じて、異なる算出方法で分光画像を算出してもよい。
【００１２】
以下に述べる実施形態では、酸素飽和度の計算式（１）を用いて算出された画像を分光画像として説明する。本発明者らは、複数の波長のそれぞれに対応する光音響信号に基づいて血中ヘモグロビンの酸素飽和度（酸素飽和度に相関をもつ指標でもよい）を計算する式（１）に対し、光吸収係数の波長依存性がオキシヘモグロビンおよびデオキシヘモグロビンとは異なる傾向を示す造影剤で得られた光音響信号の計測値Ｉ（ｒ）を代入した場合に、ヘモグロビンの酸素飽和度が取り得る数値範囲から大きくずれた計算値Ｉｓ（ｒ）が得られる、ということを見出した。それゆえ、この計算値Ｉｓ（ｒ）を画像値としてもつ
分光画像を生成すれば、被検体内部におけるヘモグロビンの領域（血管領域）と造影剤の存在領域（例えばリンパ管に造影剤が導入された場合であればリンパ管の領域）とを画像上で分離（区別）することが容易となる。
【数１】
2020028671.tif 000003
ここで、Ｉλ１（ｒ）は第１波長λ１の光照射により発生した光音響波に基づいた計測値であり、Ｉλ２（ｒ）は第２波長λ２の光照射により発生した光音響波に基づいた計測値である。εＨｂλ１は第１波長λ１に対応するデオキシヘモグロビンのモラー吸収係数［ｍｍ−１ｍｏｌ−１］であり、εＨｂλ２は第２波長λ２に対応するデオキシヘモグロビンのモラー吸収係数［ｍｍ−１ｍｏｌ−１］である。εＨｂＯλ１は第１波長λ１に対応するオキシヘモグロビンのモラー吸収係数［ｍｍ−１ｍｏｌ−１］であり、εＨｂＯλ２は第２波長λ２に対応するオキシヘモグロビンのモラー吸収係数［ｍｍ−１ｍｏｌ−１］である。ｒは位置である。なお、計測値Ｉλ１（ｒ）、Ｉλ２（ｒ）としては、吸収係数μａλ１（ｒ）、μａλ２（ｒ）を用いてもよいし、初期音圧Ｐ０λ１（ｒ）、Ｐ０λ２（ｒ）を用いてもよい。
【００１３】
ヘモグロビンの存在領域（血管領域）から発生した光音響波に基づいた計測値を式（１）に代入すると、計算値Ｉｓ（ｒ）として、ヘモグロビンの酸素飽和度（または酸素飽和度に相関をもつ指標）が得られる。一方、造影剤を導入した被検体において、造影剤の存在領域（例えばリンパ管領域）から発生した音響波に基づいた計測値を式（１）に代入すると、計算値Ｉｓ（ｒ）として、擬似的な造影剤の濃度分布が得られる。なお、造影剤の濃度分布を計算する場合でも、式（１）ではヘモグロビンのモラー吸収係数の数値をそのまま用いればよい。このようにして得られた分光画像Ｉｓ（ｒ）は、被検体内部のヘモグロビンの存在領域（血管）と造影剤の存在領域（例えばリンパ管）の両方が互いに分離可能（区別可能）な状態で描出された画像となる。
【００１４】
なお、本実施形態では、酸素飽和度を計算する式（１）を用いて分光画像の画像値を計算するが、酸素飽和度以外の指標を分光画像の画像値として計算する場合には、式（１）以外の算出方法を用いればよい。指標およびその算出方法としては、公知のものを利用可能であるため、ここでは詳しい説明を割愛する。
【００１５】
また、本発明に係るシステムは、第１波長λ１の光照射により発生した光音響波に基づいた第１光音響画像および第２波長λ２の光照射により発生した光音響波に基づいた第２光音響画像の比を示す画像を分光画像としてもよい。すなわち、第１波長λ１の光照射により発生した光音響波に基づいた第１光音響画像および第２波長λ２の光照射により発生した光音響波に基づいた第２光音響画像の比に基づいた画像を分光画像としてよい。なお、式（１）の変形式にしたがって生成される画像も、第１光音響画像および第２光音響画像の比によって表現できるため、第１光音響画像および第２光音響画像の比に基づいた画像（分光画像）といえる。
【００１６】
なお、造影対象の立体構造を把握するために、分光画像は、被検体表面から深さ方向の２次元の空間分布を表す画像または３次元の空間分布を表す画像であってもよい。
【００１７】
以下、本実施形態のシステムの構成及び画像処理方法について説明する。
図１を用いて本実施形態に係るシステムを説明する。図１は、本実施形態に係るシステムの構成を示すブロック図である。本実施形態に係るシステムは、光音響装置１１００、記憶装置１２００、画像処理装置１３００、表示装置１４００、及び入力装置１５００を備える。装置間のデータの送受信は有線で行われてもよいし、無線で行われてもよい。
【００１８】
光音響装置１１００は、造影剤が導入された被検体を撮影することにより光音響画像を生成し、記憶装置１２００に出力する。光音響装置１１００は、光照射により発生した光音響波を受信することにより得られる受信信号を用いて、被検体内の複数位置のそれぞれに対応する特性値の情報を生成する装置である。すなわち、光音響装置１１００は、光音響波に由来した特性値情報の空間分布を医用画像データ（光音響画像）として生成する装置である。
【００１９】
記憶装置１２００は、ＲＯＭ（Ｒｅａｄ  ｏｎｌｙ  ｍｅｍｏｒｙ）、磁気ディスクやフラッシュメモリなどの記憶媒体であってもよい。また、記憶装置１２００は、ＰＡＣＳ（Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍ）等のネットワークを介した記憶サーバであってもよい。
【００２０】
画像処理装置１３００は、記憶装置１２００に記憶された光音響画像や光音響画像の付帯情報等の情報を処理する装置である。
画像処理装置１３００の演算機能を担うユニットは、ＣＰＵやＧＰＵ（Ｇｒａｐｈｉｃｓ  Ｐｒｏｃｅｓｓｉｎｇ  Ｕｎｉｔ）等のプロセッサ、ＦＰＧＡ（Ｆｉｅｌｄ  Ｐｒｏｇｒａｍｍａｂｌｅ  Ｇａｔｅ  Ａｒｒａｙ）チップ等の演算回路で構成されることができる。これらのユニットは、単一のプロセッサや演算回路から構成されるだけでなく、複数のプロセッサや演算回路から構成されていてもよい。
画像処理装置１３００の記憶機能を担うユニットは、ＲＯＭ（Ｒｅａｄ  ｏｎｌｙ  ｍｅｍｏｒｙ）、磁気ディスクやフラッシュメモリなどの非一時記憶媒体で構成することができる。また、記憶機能を担うユニットは、ＲＡＭ（Ｒａｎｄｏｍ  Ａｃｃｅｓｓ  Ｍｅｍｏｒｙ）などの揮発性の媒体であってもよい。なお、プログラムが格納される記憶媒体は、非一時記憶媒体である。なお、記憶機能を担うユニットは、１つの記憶媒体から構成されるだけでなく、複数の記憶媒体から構成されていてもよい。
画像処理装置１３００の制御機能を担うユニットは、ＣＰＵなどの演算素子で構成される。制御機能を担うユニットは、システムの各構成の動作を制御する。制御機能を担うユニットは、入力部からの測定開始などの各種操作による指示信号を受けて、システムの各構成を制御してもよい。また、制御機能を担うユニットは、コンピュータ１５０に格納されたプログラムコードを読み出し、システムの各構成の作動を制御してもよい。
【００２１】
表示装置１４００は、液晶ディスプレイや有機ＥＬ（Ｅｌｅｃｔｒｏ  Ｌｕｍｉｎｅｓｃｅｎｃｅ）などのディスプレイである。また、表示装置１４００は、画像や装置を操作するためのＧＵＩを表示してもよい。
【００２２】
入力装置１５００としては、ユーザーが操作可能な、マウスやキーボードなどで構成される操作コンソールを採用することができる。また、表示装置１４００をタッチパネルで構成し、表示装置１４００を入力装置１５００として利用してもよい。
【００２３】
図２は、本実施形態に係る画像処理装置１３００の具体的な構成例を示す。本実施形態に係る画像処理装置１３００は、ＣＰＵ１３１０、ＧＰＵ１３２０、ＲＡＭ１３３０、ＲＯＭ１３４０、外部記憶装置１３５０から構成される。また、画像処理装置１３００には、表示装置１４００としての液晶ディスプレイ１４１０、入力装置１５００としてのマウス１５１０、キーボード１５２０が接続されている。さらに、画像処理装置１３００は、ＰＡＣＳ（Ｐｉｃｔｕｒｅ  Ａｒｃｈｉｖｉｎｇ  ａｎｄ  Ｃｏｍｍｕｎｉｃａｔｉｏｎ
Ｓｙｓｔｅｍ）などの記憶装置１２００としての画像サーバ１２１０と接続されている。これにより、画像データを画像サーバ１２１０上に保存したり、画像サーバ１２１０上の画像データを液晶ディスプレイ１４１０に表示したりすることができる。
【００２４】
次に、本実施形態に係るシステムに含まれる装置の構成例を説明する。図３は、本実施形態に係るシステムに含まれる装置の概略ブロック図である。
【００２５】
本実施形態に係る光音響装置１１００は、駆動部１３０、信号収集部１４０、コンピュータ１５０、プローブ１８０、及び導入部１９０を有する。プローブ１８０は、光照射部１１０、及び受信部１２０を有する。図４は、本実施形態に係るプローブ１８０の模式図を示す。測定対象は、導入部１９０により造影剤が導入された被検体１００である。駆動部１３０は、光照射部１１０と受信部１２０を駆動し、機械的な走査を行う。光照射部１１０が光を被検体１００に照射し、被検体１００内で音響波が発生する。光に起因して光音響効果により発生する音響波を光音響波とも呼ぶ。受信部１２０は、光音響波を受信することによりアナログ信号としての電気信号（光音響信号）を出力する。
【００２６】
信号収集部１４０は、受信部１２０から出力されたアナログ信号をデジタル信号に変換し、コンピュータ１５０に出力する。コンピュータ１５０は、信号収集部１４０から出力されたデジタル信号を、光音響波に由来する信号データとして記憶する。
【００２７】
コンピュータ１５０は、記憶されたデジタル信号に対して信号処理を行うことにより、光音響画像を生成する。また、コンピュータ１５０は、得られた光音響画像に対して画像処理を施した後に、光音響画像を表示部１６０に出力する。表示部１６０は、光音響画像に基づいた画像を表示する。表示画像は、ユーザーやコンピュータ１５０からの保存指示に基づいて、コンピュータ１５０内のメモリや、モダリティとネットワークで接続されたデータ管理システムなどの記憶装置１２００に保存される。
【００２８】
また、コンピュータ１５０は、光音響装置に含まれる構成の駆動制御も行う。また、表示部１６０は、コンピュータ１５０で生成された画像の他にＧＵＩなどを表示してもよい。入力部１７０は、ユーザーが情報を入力できるように構成されている。ユーザーは、入力部１７０を用いて測定開始や終了、作成画像の保存指示などの操作を行うことができる。
以下、本実施形態に係る光音響装置１１００の各構成の詳細を説明する。
【００２９】
（光照射部１１０）
光照射部１１０は、光を発する光源１１１と、光源１１１から射出された光を被検体１００へ導く光学系１１２とを含む。なお、光は、いわゆる矩形波、三角波などのパルス光を含む。
【００３０】
光源１１１が発する光のパルス幅としては、熱閉じ込め条件および応力閉じ込め条件を考慮すると、１００ｎｓ以下のパルス幅であることが好ましい。また、光の波長として４００ｎｍから１６００ｎｍ程度の範囲の波長であってもよい。血管を高解像度でイメージングする場合は、血管での吸収が大きい波長（４００ｎｍ以上、７００ｎｍ以下）を用いてもよい。生体の深部をイメージングする場合には、生体の背景組織（水や脂肪など）において典型的に吸収が少ない波長（７００ｎｍ以上、１１００ｎｍ以下）の光を用いてもよい。
【００３１】
光源１１１としては、レーザーや発光ダイオードを用いることができる。また、複数波長の光を用いて測定する際には、波長の変更が可能な光源であってもよい。なお、複数波長を被検体に照射する場合、互いに異なる波長の光を発生する複数台の光源を用意し、そ
れぞれの光源から交互に照射することも可能である。複数台の光源を用いた場合もそれらをまとめて光源として表現する。レーザーとしては、固体レーザー、ガスレーザー、色素レーザー、半導体レーザーなど様々なレーザーを使用することができる。例えば、Ｎｄ：ＹＡＧレーザーやアレキサンドライトレーザーなどのパルスレーザーを光源として用いてもよい。また、Ｎｄ：ＹＡＧレーザー光を励起光とするＴｉ：ｓａレーザーやＯＰＯ（Ｏｐｔｉｃａｌ  Ｐａｒａｍｅｔｒｉｃ  Ｏｓｃｉｌｌａｔｏｒｓ）レーザーを光源として用いてもよい。また、光源１１１としてフラッシュランプや発光ダイオードを用いてもよい。また、光源１１１としてマイクロウェーブ源を用いてもよい。
【００３２】
光学系１１２には、レンズ、ミラー、光ファイバ等の光学素子を用いることができる。乳房等を被検体１００とする場合、パルス光のビーム径を広げて照射するために、光学系の光出射部は光を拡散させる拡散板等で構成されていてもよい。一方、光音響顕微鏡においては、解像度を上げるために、光学系１１２の光出射部はレンズ等で構成し、ビームをフォーカスして照射してもよい。
なお、光照射部１１０が光学系１１２を備えずに、光源１１１から直接被検体１００に光を照射してもよい。
【００３３】
（受信部１２０）
受信部１２０は、音響波を受信することにより電気信号を出力するトランスデューサ１２１と、トランスデューサ１２１を支持する支持体１２２とを含む。また、トランスデューサ１２１は、音響波を送信する送信手段としてもよい。受信手段としてのトランスデューサと送信手段としてのトランスデューサとは、単一（共通）のトランスデューサでもよいし、別々の構成であってもよい。
【００３４】
トランスデューサ１２１を構成する部材としては、ＰＺＴ（チタン酸ジルコン酸鉛）に代表される圧電セラミック材料や、ＰＶＤＦ（ポリフッ化ビニリデン）に代表される高分子圧電膜材料などを用いることができる。また、圧電素子以外の素子を用いてもよい。例えば、静電容量型トランスデューサ（ＣＭＵＴ：Ｃａｐａｃｉｔｉｖｅ  Ｍｉｃｒｏ−ｍａｃｈｉｎｅｄ  Ｕｌｔｒａｓｏｎｉｃ  Ｔｒａｎｓｄｕｃｅｒｓ）を用いたトランスデューサなどを用いることができる。なお、音響波を受信することにより電気信号を出力できる限り、いかなるトランスデューサを採用してもよい。また、トランスデューサにより得られる信号は時間分解信号である。つまり、トランスデューサにより得られる信号の振幅は、各時刻にトランスデューサで受信される音圧に基づく値（例えば、音圧に比例した値）を表したものである。
光音響波を構成する周波数成分は、典型的には１００ＫＨｚから１００ＭＨｚであり、トランスデューサ１２１として、これらの周波数を検出することのできるものを採用してもよい。
【００３５】
支持体１２２は、機械的強度が高い金属材料などから構成されていてもよい。照射光を被検体に多く入射させるために、支持体１２２の被検体１００側の表面に、鏡面加工もしくは光散乱させる加工が行われていてもよい。本実施形態において支持体１２２は半球殻形状であり、半球殻上に複数のトランスデューサ１２１を支持できるように構成されている。この場合、支持体１２２に配置されたトランスデューサ１２１の指向軸は半球の曲率中心付近に集まる。そして、複数のトランスデューサ１２１から出力された信号を用いて画像化したときに曲率中心付近の画質が高くなる。なお、支持体１２２はトランスデューサ１２１を支持できる限り、いかなる構成であってもよい。支持体１２２は、１Ｄアレイ、１．５Ｄアレイ、１．７５Ｄアレイ、２Ｄアレイと呼ばれるような平面又は曲面内に、複数のトランスデューサを並べて配置してもよい。複数のトランスデューサ１２１が複数の受信手段に相当する。
【００３６】
また、支持体１２２は音響マッチング材を貯留する容器として機能してもよい。すなわち、支持体１２２をトランスデューサ１２１と被検体１００との間に音響マッチング材を配置するための容器としてもよい。
【００３７】
また、受信部１２０が、トランスデューサ１２１から出力される時系列のアナログ信号を増幅する増幅器を備えてもよい。また、受信部１２０が、トランスデューサ１２１から出力される時系列のアナログ信号を時系列のデジタル信号に変換するＡ／Ｄ変換器を備えてもよい。すなわち、受信部１２０が後述する信号収集部１４０を備えてもよい。
【００３８】
受信部１２０と被検体１００との間の空間は、光音響波が伝播することができる媒質で満たす。この媒質には、音響波が伝搬でき、被検体１００やトランスデューサ１２１との界面において音響特性が整合し、できるだけ光音響波の透過率が高い材料を採用する。例えば、この媒質には、水、超音波ジェルなどを採用することができる。
【００３９】
図４は、プローブ１８０の側面図を示す。本実施形態に係るプローブ１８０は、開口を有する半球状の支持体１２２に複数のトランスデューサ１２１が３次元に配置された受信部１２０を有する。また、支持体１２２の底部には、光学系１１２の光射出部が配置されている。
【００４０】
本実施形態においては、図４に示すように被検体１００は、保持部２００に接触することにより、その形状が保持される。
【００４１】
受信部１２０と保持部２００の間の空間は、光音響波が伝播することができる媒質で満たされる。この媒質には、光音響波が伝搬でき、被検体１００やトランスデューサ１２１との界面において音響特性が整合し、できるだけ光音響波の透過率が高い材料を採用する。例えば、この媒質には、水、超音波ジェルなどを採用することができる。
【００４２】
保持手段としての保持部２００は被検体１００の形状を測定中に保持するために使用される。保持部２００により被検体１００を保持することによって、被検体１００の動きの抑制および被検体１００の位置を保持部２００内に留めることができる。保持部２００の材料には、ポリカーボネートやポリエチレン、ポリエチレンテレフタレート等、樹脂材料を用いることができる。
保持部２００は、取り付け部２０１に取り付けられている。取り付け部２０１は、被検体の大きさに合わせて複数種類の保持部２００を交換可能に構成されていてもよい。例えば、取り付け部２０１は、曲率半径や曲率中心などの異なる保持部に交換できるように構成されていてもよい。
【００４３】
（駆動部１３０）
駆動部１３０は、被検体１００と受信部１２０との相対位置を変更する部分である。駆動部１３０は、駆動力を発生させるステッピングモータなどのモータと、駆動力を伝達させる駆動機構と、受信部１２０の位置情報を検出する位置センサとを含む。駆動機構としては、リードスクリュー機構、リンク機構、ギア機構、油圧機構、などを用いることができる。また、位置センサとしては、エンコーダー、可変抵抗器、リニアスケール、磁気センサ、赤外線センサ、超音波センサなどを用いたポテンショメータなどを用いることができる。
【００４４】
なお、駆動部１３０は被検体１００と受信部１２０との相対位置をＸＹ方向（二次元）に変更させるものに限らず、一次元または三次元に変更させてもよい。
なお、駆動部１３０は、被検体１００と受信部１２０との相対的な位置を変更できれば、受信部１２０を固定し、被検体１００を移動させてもよい。被検体１００を移動させる
場合は、被検体１００を保持する保持部を動かすことで被検体１００を移動させる構成などが考えられる。また、被検体１００と受信部１２０の両方を移動させてもよい。
駆動部１３０は、相対位置を連続的に移動させてもよいし、ステップアンドリピートによって移動させてもよい。駆動部１３０は、プログラムされた軌跡で移動させる電動ステージであってもよいし、手動ステージであってもよい。
【００４５】
また、本実施形態では、駆動部１３０は光照射部１１０と受信部１２０を同時に駆動して走査を行っているが、光照射部１１０だけを駆動したり、受信部１２０だけを駆動したりしてもよい。
なお、プローブ１８０が、把持部が設けられたハンドヘルドタイプである場合、光音響装置１１００は駆動部１３０を有していなくてもよい。
【００４６】
（信号収集部１４０）
信号収集部１４０は、トランスデューサ１２１から出力されたアナログ信号である電気信号を増幅するアンプと、アンプから出力されたアナログ信号をデジタル信号に変換するＡ／Ｄ変換器とを含む。信号収集部１４０から出力されるデジタル信号は、コンピュータ１５０に記憶される。信号収集部１４０は、Ｄａｔａ  Ａｃｑｕｉｓｉｔｉｏｎ  Ｓｙｓｔｅｍ（ＤＡＳ）とも呼ばれる。本明細書において電気信号は、アナログ信号もデジタル信号も含む概念である。なお、フォトダイオードなどの光検出センサが、光照射部１１０から光射出を検出し、信号収集部１４０がこの検出結果をトリガーに同期して上記処理を開始してもよい。
【００４７】
（コンピュータ１５０）
情報処理装置としてのコンピュータ１５０は、画像処理装置１３００と同様のハードウェアで構成されている。すなわち、コンピュータ１５０の演算機能を担うユニットは、ＣＰＵやＧＰＵ（Ｇｒａｐｈｉｃｓ  Ｐｒｏｃｅｓｓｉｎｇ  Ｕｎｉｔ）等のプロセッサ、ＦＰＧＡ（Ｆｉｅｌｄ  Ｐｒｏｇｒａｍｍａｂｌｅ  Ｇａｔｅ  Ａｒｒａｙ）チップ等の演算回路で構成されることができる。これらのユニットは、単一のプロセッサや演算回路から構成されるだけでなく、複数のプロセッサや演算回路から構成されていてもよい。
【００４８】
コンピュータ１５０の記憶機能を担うユニットは、ＲＡＭ（Ｒａｎｄｏｍ  Ａｃｃｅｓｓ  Ｍｅｍｏｒｙ）などの揮発性の媒体であってもよい。なお、プログラムが格納される記憶媒体は、非一時記憶媒体である。なお、コンピュータ１５０の記憶機能を担うユニットは、１つの記憶媒体から構成されるだけでなく、複数の記憶媒体から構成されていてもよい。
【００４９】
コンピュータ１５０の制御機能を担うユニットは、ＣＰＵなどの演算素子で構成される。コンピュータ１５０の制御機能を担うユニットは、光音響装置の各構成の動作を制御する。コンピュータ１５０の制御機能を担うユニットは、入力部１７０からの測定開始などの各種操作による指示信号を受けて、光音響装置の各構成を制御してもよい。また、コンピュータ１５０の制御機能を担うユニットは、記憶機能を担うユニットに格納されたプログラムコードを読み出し、光音響装置の各構成の作動を制御する。すなわち、コンピュータ１５０は、本実施形態に係るシステムの制御装置として機能することができる。
【００５０】
なお、コンピュータ１５０と画像処理装置１３００は同じハードウェアで構成されていてもよい。１つのハードウェアがコンピュータ１５０と画像処理装置１３００の両方の機能を担っていてもよい。すなわち、コンピュータ１５０が、画像処理装置１３００の機能を担ってもよい。また、画像処理装置１３００が、情報処理装置としてのコンピュータ１５０の機能を担ってもよい。
【００５１】
（表示部１６０）
表示部１６０は、液晶ディスプレイや有機ＥＬ（Ｅｌｅｃｔｒｏ  Ｌｕｍｉｎｅｓｃｅｎｃｅ）などのディスプレイである。また、表示部１６０は、画像や装置を操作するためのＧＵＩを表示してもよい。
なお、表示部１６０と表示装置１４００は同じディスプレイであってもよい。すなわち、１つのディスプレイが表示部１６０と表示装置１４００の両方の機能を担っていてもよい。
【００５２】
（入力部１７０）
入力部１７０としては、ユーザーが操作可能な、マウスやキーボードなどで構成される操作コンソールを採用することができる。また、表示部１６０をタッチパネルで構成し、表示部１６０を入力部１７０として利用してもよい。
なお、入力部１７０と入力装置１５００は同じ装置であってもよい。すなわち、１つの装置が入力部１７０と入力装置１５００の両方の機能を担っていてもよい。
【００５３】
（導入部１９０）
導入部１９０は、被検体１００の外部から被検体１００の内部へ造影剤を導入可能に構成されている。例えば、導入部１９０は造影剤の容器と被検体に刺す注射針とを含むことができる。しかしこれに限られず、導入部１９０は、造影剤を被検体１００に導入することができる限り種々のものを適用可能である。導入部１９０は、この場合、例えば、公知のインジェクションシステムやインジェクタなどであってもよい。なお、制御装置としてのコンピュータ１５０が、導入部１９０の動作を制御することにより、被検体１００に造影剤を導入してもよい。また、ユーザーが導入部１９０を操作することにより、被検体１００に造影剤を導入してもよい。
【００５４】
（被検体１００）
被検体１００はシステムを構成するものではないが、以下に説明する。本実施形態に係るシステムは、人や動物の悪性腫瘍や血管疾患などの診断や化学治療の経過観察などを目的として使用できる。よって、被検体１００としては、生体、具体的には人体や動物の乳房や各臓器、血管網、頭部、頸部、腹部、手指または足指を含む四肢などの診断の対象部位が想定される。例えば、人体が測定対象であれば、オキシヘモグロビンあるいはデオキシヘモグロビンやそれらを含む多く含む血管あるいは腫瘍の近傍に形成される新生血管などを光吸収体の対象としてもよい。また、頸動脈壁のプラークなどを光吸収体の対象としてもよい。また、皮膚等に含まれるメラニン、コラーゲン、脂質などを光吸収体の対象としてもよい。さらに、被検体１００に導入する造影剤を光吸収体とすることができる。光音響イメージングに用いる造影剤としては、インドシアニングリーン（ＩＣＧ）、メチレンブルー（ＭＢ）などの色素、金微粒子、及びそれらの混合物、またはそれらを集積あるいは化学的に修飾した外部から導入した物質を採用してもよい。また、生体を模したファントムを被検体１００としてもよい。
【００５５】
なお、光音響装置の各構成はそれぞれ別の装置として構成されてもよいし、一体となった１つの装置として構成されてもよい。また、光音響装置の少なくとも一部の構成が一体となった１つの装置として構成されてもよい。
なお、本実施形態に係るシステムを構成する各装置は、それぞれが別々のハードウェアで構成されていてもよいし、全ての装置が１つのハードウェアで構成されていてもよい。本実施形態に係るシステムの機能は、いかなるハードウェアで構成されていてもよい。
【００５６】
次に、図５に示すフローチャートを用いて、本実施形態に係る画像生成方法を説明する。なお、図５に示すフローチャートには、本実施形態に係るシステムの動作を示す工程も、医師等のユーザーの動作を示す工程も含まれている。
【００５７】
（Ｓ１００：検査オーダー情報を取得する工程）
光音響装置１１００のコンピュータ１５０は、ＨＩＳ（Ｈｏｓｐｉｔａｉ  Ｉｎｆｏｒｍａｔｉｏｎ  Ｓｙｓｔｅｍ）やＲＩＳ（Ｒａｄｉｏｌｏｇｙ  Ｉｎｆｏｒｍａｔｉｏｎ
Ｓｙｓｔｅｍ）などの院内情報システムから送信された検査オーダー情報を取得する。検査オーダー情報には、検査に用いるモダリティの種類や検査に使用する造影剤などの情報が含まれている。
【００５８】
（Ｓ２００：ユーザーの指示または検査オーダー情報に基づいて造影剤に関する情報を取得する工程）
造影剤情報取得手段としてのコンピュータ１５０は、造影剤に関する情報を取得する。ユーザーは、入力部１７０を用いて、検査に使用する造影剤の種類や造影剤の濃度を指示してもよい。この場合、コンピュータ１５０は、入力部１７０を介して、造影剤に関する情報を取得することができる。また、コンピュータ１５０は、Ｓ１００で取得した検査オーダー情報に造影剤に関する情報が含まれている場合、検査オーダー情報から造影剤に関する情報を読み出すことにより、取得してもよい。コンピュータ１５０は、ユーザーの指示と検査オーダー情報との少なくとも一つに基づいて、造影剤に関する情報を取得してもよい。例えば、造影剤の条件を示す造影剤に関する情報としては、造影剤の種類や造影剤の濃度などが挙げられる。
【００５９】
図１０は、表示部１６０に表示されるＧＵＩの例を示す。ＧＵＩのアイテム２５００には、患者ＩＤ、検査ＩＤ、撮影日時などの検査オーダー情報が表示されている。アイテム２５００は、ＨＩＳやＲＩＳなどの外部装置から取得した検査オーダー情報を表示する表示機能や、ユーザーが入力部１７０を用いて検査オーダー情報を入力することのできる入力機能を備えていてもよい。ＧＵＩのアイテム２６００には、造影剤の種類、造影剤の濃度などの造影剤に関する情報が表示されている。アイテム２６００は、ＨＩＳやＲＩＳなどの外部装置から取得した造影剤に関する情報を表示する表示機能や、ユーザーが入力部１７０を用いて造影剤に関する情報を入力することのできる入力機能を備えていてもよい。アイテム２６００においては、造影剤の種類や濃度などの造影剤に関する情報を複数の選択肢の中からプルダウンなどの方法で入力できてもよい。なお、画像処理装置１３００が表示装置１４００に図１０に示すＧＵＩを表示してもよい。
【００６０】
なお、画像処理装置１３００が、ユーザーから造影剤に関する情報の入力指示を受信しなかった場合に、複数の造影剤に関する情報の中からデフォルトで設定された造影剤に関する情報を取得してもよい。本実施形態の場合、造影剤の種類としてＩＣＧ、造影剤の濃度として１．０ｍｇ／ｍＬがデフォルトで設定されている場合を説明する。本実施形態では、ＧＵＩのアイテム２６００にはデフォルトで設定されている造影剤の種類と濃度が表示されているが、造影剤に関する情報がデフォルトで設定されていなくてもよい。この場合、初期画面ではＧＵＩのアイテム２６００に造影剤に関する情報が表示されていなくてもよい。
【００６１】
（Ｓ３００：造影剤を導入する工程）
導入部１９０は、被検体に対して造影剤を導入する。ユーザーが、導入部１９０を用いて被検体に造影剤を導入したときに、ユーザーが入力部１７０を操作することにより、造影剤が導入されたことを表す信号を入力部１７０から制御装置としてのコンピュータ１５０に送信してもよい。また、導入部１９０が被検体１００に造影剤が導入されたことを表す信号をコンピュータ１５０に送信してもよい。なお、導入部１９０を用いずに造影剤を被検体に投与してもよい。例えば、被検体としての生体が噴霧された造影剤を吸引することにより、造影剤が投与されてもよい。
造影剤の導入後に被検体１００内の造影対象に造影剤が行き渡るまで時間をおいてから
後述するＳ４００を実行してもよい。
【００６２】
（Ｓ４００：照射光の波長を決定する工程）
波長決定手段としてのコンピュータ１５０は、Ｓ２００で取得された造影剤に関する情報に基づいて、照射光の波長を決定する。本実施形態では、分光画像を生成するために、コンピュータ１５０が造影剤に関する情報に基づいて複数の波長を決定する。以下、分光画像中の造影剤に対応する領域を識別しやすくするための波長の組み合わせについて説明する。
【００６３】
本実施形態では、後述するＳ８００において、式（１）にしたがった画像を分光画像として生成する場合を考える。式（１）によれば、分光画像中の血管の領域については、実際の酸素飽和度に応じた画像値が算出される。しかし、分光画像中の造影剤の領域については、使用する波長によって大きく画像値が変化してしまう。さらに、分光画像中の造影剤の領域については、造影剤の吸収係数スペクトルによっても大きく画像値が変動してしまう。その結果、分光画像中の造影剤の領域の画像値が、血管の領域の画像値と識別できないような値となってしまう場合がある。一方、造影剤の三次元分布を把握するためには、分光画像中の造影剤の領域の画像値が、血管の領域の画像値と識別できるような値であることが好ましい。
【００６４】
そこで、本発明者は、検査に使用する造影剤の条件に応じて、照射光の波長を適応的に変更することにより、分光画像中の造影剤の領域の画像値を制御することを着想した。すなわち、情報処理装置が、造影剤に関する情報に基づいて、分光画像中の造影剤の領域と血管の領域を識別できるような照射光の波長を決定することを本発明者は考案した。
【００６５】
具体的には、分光画像として式（１）を用いた画像を生成する場合、動静脈の酸素飽和度が概ねパーセント表示で６０％〜１００％に収まることを利用して照射光の波長を決定してもよい。すなわち、情報処理装置としてのコンピュータ１５０が、造影剤に関する情報に基づいて、分光画像中の造影剤に対応する式（１）の値が６０％より小さくなる、または、１００％より大きくなるような２波長を決定してもよい。また、コンピュータ１５０が、造影剤に関する情報に基づいて、分光画像中の造影剤に対応する領域の画像値とそれ以外の領域の画像値との符号が逆となるような２波長を決定してもよい。例えば、造影剤としてＩＣＧを用いる場合、７００ｎｍ以上、８２０ｎｍより小さい波長と、８２０ｎｍ以上、１０２０ｎｍ以下の波長の２波長を選択し、式（１）により分光画像を生成することにより、造影剤の領域と血管の領域とを良好に識別することができる。
【００６６】
次に、造影剤に関する情報として造影剤の濃度を変化させたときの造影剤に対応する画像値の変化について説明する。図６は、造影剤としてのＩＣＧの濃度を変えたときの吸収係数スペクトルの変化を示したスペクトル図である。図６において下から順に、ＩＣＧの濃度が５．０４μｇ／ｍＬ、５０．４μｇ／ｍＬ、０．５ｍｇ／ｍＬ、１．０ｍｇ／ｍＬの場合のスペクトル図を示している。図６に示すように、造影剤の濃度が高くなるにつれて光の吸収度合いが高くなることが理解される。また、造影剤の濃度に応じて２波長に対応する吸収係数の比が変化するため、造影剤の濃度に応じて、分光画像中の造影剤に対応する画像値が変化してしまうことが理解される。造影剤の濃度が変化したときと同様に、造影剤の種類が変化したときにも、２波長に対応する吸収係数の比が変化する。そのため、造影剤の種類に応じても、分光画像中の造影剤に対応する画像値が変化してしまうことが理解される。
【００６７】
ここで、ＩＣＧを導入した生体に対して光音響装置を用いて撮影することにより得られた分光画像について説明する。図１１〜図１３は、濃度を変えてＩＣＧを導入した場合に撮影して得られた分光画像を示す。いずれの撮影においても、手もしくは足の皮下もしく
は皮内にＩＣＧを１か所につき０．１ｍＬ導入した。皮下もしくは皮内に導入されたＩＣＧは、リンパ管に選択的に取り込まれるため、リンパ管の内腔が造影される。また、いずれの撮影においても、ＩＣＧの導入から５分〜６０分以内に撮影した。また、いずれの分光画像も、７９７ｎｍの波長の光と８３５ｎｍの波長の光とを生体に照射することにより得られた光音響画像から生成された分光画像である。
【００６８】
図１１（Ａ）は、ＩＣＧを導入しなかった場合の右前腕伸側の分光画像を示す。一方、図１１（Ｂ）は、２．５ｍｇ／ｍＬの濃度のＩＣＧを導入したときの右前腕伸側の分光画像を示す。図１１（Ｂ）中の破線および矢印で示した領域にリンパ管が描出されている。
図１２（Ａ）は、１．０ｍｇ／ｍＬの濃度のＩＣＧを導入したときの左前腕伸側の分光画像を示す。図１２（Ｂ）は、５．０ｍｇ／ｍＬの濃度のＩＣＧを導入したときの左前腕伸側の分光画像を示す。図１２（Ｂ）中の破線および矢印で示した領域にリンパ管が描出されている。
図１３（Ａ）は、０．５ｍｇ／ｍＬの濃度のＩＣＧを導入したときの右下腿内側の分光画像を示す。図１３（Ｂ）は、５．０ｍｇ／ｍＬの濃度のＩＣＧを導入したときの左下腿内側の分光画像を示す。図１３（Ｂ）中の破線および矢印で示した領域にリンパ管が描出されている。
【００６９】
図１１〜図１３に示す分光画像によれば、ＩＣＧの濃度を高くすると、分光画像の中のリンパ管の視認性が向上することが理解される。また、図１１〜図１３によれば、ＩＣＧの濃度が２．５ｍｇ／ｍＬ以上の場合にリンパ管が良好に描出できることが理解される。すなわち、ＩＣＧの濃度が２．５ｍｇ／ｍＬ以上である場合に線上のリンパ管を明確に視認することができる。そのため、造影剤としてＩＣＧを採用する場合、その濃度は２．５ｍｇ／ｍＬ以上であってもよい。なお、生体内でのＩＣＧの希釈を考慮すると、ＩＣＧの濃度は５．０ｍｇ／ｍＬより大きくてもよい。ただし、ジアグノグリーンの可溶性を鑑みると、１０．０ｍｇ／ｍＬ以上の濃度で水溶液に溶かすことは困難である。
以上より、生体に導入するＩＣＧの濃度としては、２．５ｍｇ／ｍＬ以上、１０．０ｍｇ／ｍＬ以下がよく、好適には、５．０ｍｇ／ｍＬ以上、１０．０ｍｇ／ｍＬ以下がよい。
【００７０】
そこで、コンピュータ１５０は、図１０に示すＧＵＩのアイテム２６００において造影剤の種類としてＩＣＧが入力された場合に、上記数値範囲のＩＣＧの濃度を示すユーザーからの指示を選択的に受け付けるように構成されていてもよい。すなわち、この場合、コンピュータ１５０は、上記数値範囲以外のＩＣＧの濃度を示すユーザーからの指示を受け付けないように構成されていてもよい。よって、コンピュータ１５０は、造影剤の種類がＩＣＧであることを示す情報を取得した場合に、２．５ｍｇ／ｍＬより小さい、または、１０．０ｍｇ／ｍＬより大きいＩＣＧの濃度を示すユーザーからの指示を受け付けないように構成されていてもよい。また、コンピュータ１５０は、造影剤の種類がＩＣＧであることを示す情報を取得した場合に５．０ｍｇ／ｍＬより小さい、または、１０．０ｍｇ／ｍＬより大きいＩＣＧの濃度を示すユーザーからの指示を受け付けないように構成されていてもよい。
【００７１】
コンピュータ１５０は、ユーザーがＧＵＩ上で上記数値範囲以外のＩＣＧの濃度を指示できないようにＧＵＩを構成してもよい。すなわち、コンピュータ１５０は、ユーザーがＧＵＩ上で上記数値範囲以外のＩＣＧの濃度を指示できないようにＧＵＩを表示させてもよい。例えば、コンピュータ１５０は、ＧＵＩ上で上記数値範囲のＩＣＧの濃度を選択的に指示できるプルダウンを表示させてもよい。コンピュータ１５０は、プルダウンの中の上記数値範囲以外のＩＣＧの濃度をグレーアウトさせて表示し、グレーアウトされた濃度を選択できないようにＧＵＩを構成してもよい。
【００７２】
また、コンピュータ１５０は、ＧＵＩ上で上記数値範囲以外のＩＣＧの濃度がユーザーから指示された場合にアラートを通知してもよい。通知方法としては、表示部１６０へのアラートの表示や、音やランプの点灯などのあらゆる方法を採用することができる。
また、コンピュータ１５０は、ＧＵＩ上で造影剤の種類としてＩＣＧが選択された場合に、被検体に導入するＩＣＧの濃度として上記数値範囲を表示部１６０に表示させてもよい。
【００７３】
なお、被検体に導入する造影剤の濃度は、ここで示した数値範囲に限らず、目的に応じた好適な濃度を採用することができる。また、ここでは造影剤の種類がＩＣＧである場合の例について説明したが、その他の造影剤においても同様に上記構成を適用することができる。
このようにＧＵＩを構成することにより、被検体に導入する予定の造影剤の種類に応じて、適当な造影剤の濃度をユーザーが被検体に導入するための支援を行うことができる。
【００７４】
次に、波長の組み合わせを変更したときの分光画像中の造影剤に対応する画像値の変化について説明する。図７は、２波長の組み合わせのそれぞれにおける、分光画像中の造影剤に対応する画像値（酸素飽和度値）のシミュレーション結果を示す。図７の縦軸と横軸はそれぞれ第１波長と第２波長を表す。図７には、分光画像中の造影剤に対応する画像値の等値線が示されている。図７（ａ）〜図７（ｄ）はそれぞれ、ＩＣＧの濃度が５．０４μｇ／ｍＬ、５０．４μｇ／ｍＬ、０．５ｍｇ／ｍＬ、１．０ｍｇ／ｍＬのときの分光画像中の造影剤に対応する画像値を示す。図７に示すように、選択する波長の組み合わせによっては、分光画像中の造影剤に対応する画像値が６０％〜１００％となってしまう場合がある。前述したように、このような波長の組み合わせを選択してしまうと、分光画像中の血管の領域と造影剤の領域とを識別することが困難となってしまう。そのため、図７に示す波長の組み合わせにおいて、分光画像中の造影剤に対応する画像値が６０％より小さくなる、または、１００％より大きくなるような波長の組み合わせを選択することが好ましい。さらには、図７に示す波長の組み合わせにおいて、分光画像中の造影剤に対応する画像値が負値となるような波長の組み合わせを選択することが好ましい。
【００７５】
例えば、ここで第１波長として７９７ｎｍを選択し、第２波長として８３５ｎｍを選択した場合を考える。図８は、第１波長として７９７ｎｍを選択し、第２波長として８３５ｎｍを選択した場合に、ＩＣＧの濃度と分光画像中の造影剤に対応する画像値（式（１）の値）との関係を示すグラフである。図８によれば、第１波長として７９７ｎｍを選択し、第２波長として８３５ｎｍを選択した場合、５．０４μｇ／ｍＬ〜１．０ｍｇ／ｍＬのいずれの濃度であっても、分光画像中の造影剤に対応する画像値は負値となる。そのため、このような波長の組み合わせにより生成された分光画像によれば、血管の酸素飽和度値は原理上負値をとることはないため、血管の領域と造影剤の領域とを明確に識別することができる。
【００７６】
なお、これまで造影剤に関する情報に基づいて波長を決定することを説明したが、波長の決定においてヘモグロビンの吸収係数を考慮してもよい。図９は、オキシヘモグロビンのモラー吸収係数（破線）とデオキシヘモグロビンのモラー吸収係数（実線）のスペクトルを示す。図９に示す波長レンジにおいては、７９７ｎｍを境にオキシヘモグロビンのモラー吸収係数とデオキシヘモグロビンのモラー吸収係数の大小関係が逆転している。すなわち、７９７ｎｍよりも短い波長においては静脈を把握しやすく、７９７ｎｍよりも長い波長においては動脈を把握しやすいといえる。ところで、リンパ浮腫の治療においては、リンパ管と静脈との間にバイパスを作製するリンパ管静脈吻合術（ＬＶＡ）が利用されている。本実施形態では、ＬＶＡの術前検査、術後検査、および効果判定のために、光音響イメージングによって血管像（特に静脈像）と造影剤が蓄積したリンパ管像との両方を含む画像を生成する。この場合に、複数の波長の少なくとも１つを７９７ｎｍよりも小さい
波長とすることにより、静脈をより明確に画像化することができる。また、複数の波長の少なくとも１つを、オキシヘモグロビンのモラー吸収係数よりもデオキシヘモグロビンのモラー吸収係数が大きくなる波長とすることが静脈を画像化するうえで有利である。また、２波長に対応する光音響画像から分光画像を生成する場合、２波長のいずれもオキシヘモグロビンのモラー吸収係数よりもデオキシヘモグロビンのモラー吸収係数が大きい波長とすることが、静脈を画像化するうえで有利である。これらの波長を選択することにより、静脈と造影剤が導入されたリンパ管との両方を精度良く画像化することができる。
【００７７】
ところで、複数の波長のいずれも血液よりも造影剤の吸収係数が大きい波長であると、造影剤由来のアーチファクトにより血液の酸素飽和度精度が低下してしまう。そこで、造影剤由来のアーチファクトを低減するために、複数の波長の少なくとも１つの波長が、血液の吸収係数に対して造影剤の吸収係数が小さくなる波長であってもよい。
【００７８】
ここでは、式（１）にしたがって分光画像を生成する場合の説明を行ったが、造影剤の条件や照射光の波長によって分光画像中の造影剤に対応する画像値が変化するような分光画像を生成する場合にも適用することができる。
【００７９】
（Ｓ５００：光を照射する工程）
光照射部１１０は、Ｓ４００で決定された波長を光源１１１に設定する。光源１１１は、Ｓ４００で決定された波長の光を発する。光源１１１から発生した光は、光学系１１２を介してパルス光として被検体１００に照射される。そして、被検体１００の内部でパルス光が吸収され、光音響効果により光音響波が生じる。このとき、導入された造影剤もパルス光を吸収し、光音響波を発生する。光照射部１１０はパルス光の伝送と併せて信号収集部１４０へ同期信号を送信してもよい。また、光照射部１１０は、複数の波長のそれぞれについて、同様に光照射を行う。
【００８０】
ユーザーが、光照射部１１０の照射条件（照射光の繰り返し周波数や波長など）やプローブ１８０の位置などの制御パラメータを、入力部１７０を用いて指定してもよい。コンピュータ１５０は、ユーザーの指示に基づいて決定された制御パラメータを設定してもよい。また、コンピュータ１５０が、指定された制御パラメータに基づいて、駆動部１３０を制御することによりプローブ１８０を指定の位置へ移動させてもよい。複数位置での撮影が指定された場合には、駆動部１３０は、まずプローブ１８０を最初の指定位置へ移動させる。なお、駆動部１３０は、測定の開始指示がなされたときに、あらかじめプログラムされた位置にプローブ１８０を移動させてもよい。
【００８１】
（Ｓ６００：光音響波を受信する工程）
信号収集部１４０は、光照射部１１０から送信された同期信号を受信すると、信号収集の動作を開始する。すなわち、信号収集部１４０は、受信部１２０から出力された、光音響波に由来するアナログ電気信号を、増幅・ＡＤ変換することにより、増幅されたデジタル電気信号を生成し、コンピュータ１５０へ出力する。コンピュータ１５０は、信号収集部１４０から送信された信号を保存する。複数の走査位置での撮影を指定された場合には、指定された走査位置において、Ｓ５００およびＳ６００の工程を繰り返し実行し、パルス光の照射と音響波に由来するデジタル信号の生成を繰り返す。なお、コンピュータ１５０は、発光をトリガーとして、発光時の受信部１２０の位置情報を駆動部１３０の位置センサからの出力に基づいて取得し、記憶してもよい。
【００８２】
なお、本実施形態では、複数の波長の光のそれぞれを時分割に照射する例を説明したが、複数の波長のそれぞれに対応する信号データを取得できる限り、光の照射方法はこれに限らない。例えば、光照射によって符号化を行う場合に、複数の波長の光がほぼ同時に照射されるタイミングが存在してもよい。
【００８３】
（Ｓ７００：光音響画像を生成する工程）
光音響画像取得手段としてのコンピュータ１５０は、記憶された信号データに基づいて、光音響画像を生成する。コンピュータ１５０は、生成された光音響画像を記憶装置１２００に出力し、記憶させる。
信号データを２次元または３次元の空間分布に変換する再構成アルゴリズムとしては、タイムドメインでの逆投影法やフーリエドメインでの逆投影法などの解析的な再構成法やモデルベース法（繰り返し演算法）を採用することができる。例えば、タイムドメインでの逆投影法として、Ｕｎｉｖｅｒｓａｌ  ｂａｃｋ−ｐｒｏｊｅｃｔｉｏｎ（ＵＢＰ）、Ｆｉｌｔｅｒｅｄ  ｂａｃｋ−ｐｒｏｊｅｃｔｉｏｎ（ＦＢＰ）、または整相加算（Ｄｅｌａｙ−ａｎｄ−Ｓｕｍ）などが挙げられる。
本実施形態では、被検体への１回の光照射で得られた光音響信号を用いた画像再構成により１つの３次元の光音響画像（ボリュームデータ）が生成される。さらに、複数回の光照射を行い、光照射ごとに画像再構成を行うことで、時系列の３次元画像データ（時系列のボリュームデータ）が取得される。複数回の光照射の光照射ごとに画像再構成して得られた３次元画像データを総称して、複数回の光照射に対応する３次元画像データと呼ぶ。なお、時系列に複数回の光照射が実行されるため、複数回の光照射に対応する３次元画像データが、時系列の３次元画像データを構成する。
【００８４】
コンピュータ１５０は、信号データに対して再構成処理することにより、初期音圧分布情報（複数の位置における発生音圧）を光音響画像として生成する。また、コンピュータ１５０は、被検体１００に照射された光の被検体１００の内部での光フルエンス分布を計算し、初期音圧分布を光フルエンス分布で除算することにより、吸収係数分布情報を光音響画像として取得してもよい。光フルエンス分布の計算手法については、公知の手法を適用することができる。また、コンピュータ１５０は、複数の波長の光のそれぞれに対応する光音響画像を生成することができる。具体的には、コンピュータ１５０は、第１波長の光照射により得られた信号データに対して再構成処理を行うことにより、第１波長に対応する第１光音響画像を生成することができる。また、コンピュータ１５０は、第２波長の光照射により得られた信号データに対して再構成処理を行うことにより、第２波長に対応する第２光音響画像を生成することができる。このように、コンピュータ１５０は、複数の波長の光に対応する複数の光音響画像を生成することができる。なお、３波長以上の光を用いて測定を行った場合も同様に、３波長以上の光のそれぞれに対応する３以上の光音響画像を生成することができる。
【００８５】
本実施形態では、コンピュータ１５０は、複数の波長の光のそれぞれに対応する吸収係数分布情報を光音響画像として取得する。第１波長に対応する吸収係数分布情報を第１光音響画像とし、第２波長に対応する吸収係数分布情報を第２光音響画像とする。
【００８６】
なお、本実施形態では、システムが光音響画像を生成する光音響装置１１００を含む例を説明したが、光音響装置１１００を含まないシステムにも本発明は適用可能である。光音響画像取得手段としての画像処理装置１３００が、光音響画像を取得できる限り、いかなるシステムであっても本発明を適用することができる。例えば、光音響装置１１００を含まず、記憶装置１２００と画像処理装置１３００とを含むシステムであっても本発明を適用することができる。この場合、光音響画像取得手段としての画像処理装置１３００は、記憶装置１２００に予め記憶された光音響画像群の中から指定された光音響画像を読み出すことにより、光音響画像を取得することができる。
【００８７】
（Ｓ８００：分光画像を生成する工程）
分光画像取得手段としてのコンピュータ１５０は、複数の波長に対応する複数の光音響画像に基づいて、分光画像を生成する。コンピュータ１５０は、分光画像を記憶装置１２
００に出力し、記憶装置１２００に記憶させる。前述したように、コンピュータ１５０は、グルコース濃度、コラーゲン濃度、メラニン濃度、脂肪や水の体積分率など、被検体を構成する物質の濃度に相当する情報を示す画像を分光画像として生成してもよい。また、コンピュータ１５０は、第１波長に対応する第１光音響画像と第２波長に対応する第２光音響画像との比を表す画像を分光画像として生成してもよい。本実施形態では、コンピュータ１５０が、第１光音響画像と第２光音響画像とを用いて、式（１）にしたがって酸素飽和度画像を分光画像として生成する例を説明する。
【００８８】
なお、分光画像取得手段としての画像処理装置１３００は、記憶装置１２００に予め記憶された分光画像群の中から指定された分光画像を読み出すことにより、分光画像を取得してもよい。また、光音響画像取得手段としての画像処理装置１３００は、記憶装置１２００に予め記憶された光音響画像群の中から、読み出した分光画像の生成に用いられた複数の光音響画像の少なくとも一つを読み出すことにより、光音響画像を取得してもよい。
【００８９】
（Ｓ９００：分光画像を表示する工程）
表示制御手段としての画像処理装置１３００は、Ｓ２００で取得した造影剤に関する情報に基づいて、造影剤に対応する領域とそれ以外の領域とを識別できるように分光画像を表示装置１４００に表示させる。なお、レンダリング手法としては、最大値投影法（ＭＩＰ：Ｍａｘｉｍｕｍ  Ｉｎｔｅｎｓｉｔｙ  Ｐｒｏｊｅｃｔｉｏｎ）、ボリュームレンダリング、及びサーフェイスレンダリングなどのあらゆる方法を採用することができる。ここで、三次元画像を二次元にレンダリングする際の表示領域や視線方向などの設定条件は、観察対象に合わせて任意に指定することができる。
【００９０】
ここでは、Ｓ４００で７９７ｎｍと８３５ｎｍを設定し、Ｓ８００で式（１）にしたがって分光画像を生成する場合について説明する。図８で示したとおり、これらの２波長を選択した場合、ＩＣＧがいかなる濃度であっても、式（１）にしたがって生成される分光画像中の造影剤に対応する画像値は負値となる。
【００９１】
図１０に示すように、画像処理装置１３００は、分光画像の画像値と表示色との関係を示すカラースケールとしてのカラーバー２４００をＧＵＩに表示させる。画像処理装置１３００は、造影剤に関する情報（例えば、造影剤の種類がＩＣＧであることを示す情報）と、照射光の波長を示す情報とに基づいて、カラースケールに割り当てる画像値の数値範囲を決定してもよい。例えば、画像処理装置１３００は、式（１）による動脈の酸素飽和度、静脈の酸素飽和度、および造影剤に対応する負値の画像値を含む数値範囲を決定してもよい。画像処理装置１３００は、−１００％〜１００％の数値範囲を決定し、青から赤に変化するカラーグラデーションに−１００％〜１００％を割り当てたカラーバー２４００を設定してもよい。このような表示方法により、動静脈の識別に加え、負値の造影剤に対応する領域も識別することができる。また、画像処理装置１３００は、造影剤に関する情報と、照射光の波長を示す情報とに基づいて、造影剤に対応する画像値の数値範囲を示すインジケータ２４１０を表示させてもよい。ここでは、カラーバー２４００において、ＩＣＧに対応する画像値の数値範囲として負値の領域をインジケータ２４１０で示している。このように造影剤に対応する表示色を識別できるようにカラースケールを表示することにより、分光画像中の造影剤に対応する領域を容易に識別することができる。
【００９２】
領域決定手段としての画像処理装置１３００は、造影剤に関する情報と、照射光の波長を示す情報とに基づいて、分光画像中の造影剤に対応する領域を決定してもよい。例えば、画像処理装置１３００は、分光画像のうち、負値の画像値を有する領域を造影剤に対応する領域として決定してもよい。そして、画像処理装置１３００は、造影剤に対応する領域とそれ以外の領域とを識別できるように分光画像を表示装置１４００に表示させてもよい。画像処理装置１３００は、造影剤に対応する領域とそれ以外の領域との表示色を異な
らせる、造影剤に対応する領域を点滅させる、造影剤に対応する領域を示すインジケータ（例えば、枠）を表示させるなどの識別表示を採用することができる。
【００９３】
なお、図１０に示すＧＵＩに表示されたＩＣＧの表示に対応するアイテム２７３０を指示することにより、ＩＣＧに対応する画像値を選択的に表示させる表示モードに切り替え可能であってもよい。例えば、ユーザーがＩＣＧの表示に対応するアイテム２７３０を選択した場合に、画像処理装置１３００が分光画像から画像値が負値のボクセルを選択し、選択されたボクセルを選択的にレンダリングすることにより、ＩＣＧの領域を選択的に表示してもよい。同様に、ユーザーが動脈の表示に対応するアイテム２７１０や静脈の表示に対応するアイテム２７２０を選択してもよい。ユーザーの指示に基づいて、画像処理装置１３００が、動脈に対応する画像値（例えば、９０％以上１００％以下）や静脈に対応する画像値（例えば、６０％以上９０％未満）を選択的に表示させる表示モードに切り替えてもよい。動脈に対応する画像値や静脈に対応する画像値の数値範囲については、ユーザーの指示に基づいて変更可能であってもよい。
【００９４】
なお、分光画像の画像値に色相、明度、および彩度の少なくとも一つを割り当て、光音響画像の画像値に色相、明度、および彩度の残りのパラメータを割り当てた画像を分光画像として表示させてもよい。例えば、分光画像の画像値に色相および彩度を割り当て、光音響画像の画像値に明度を割り当てた画像を分光画像として表示させてもよい。このとき、造影剤に対応する光音響画像の画像値が、血管に対応する光音響画像の画像値よりも大きい場合や小さい場合、光音響画像の画像値に明度を割り当てると、血管と造影剤の両方を視認することが困難な場合がある。そこで、分光画像の画像値によって、光音響画像の画像値から明度への変換テーブルを変更してもよい。例えば、分光画像の画像値が造影剤に対応する画像値の数値範囲に含まれる場合、光音響画像の画像値に対応する明度を、血管に対応するそれよりも小さくしてもよい。すなわち、造影剤の領域と血管の領域を比べたときに、光音響画像の画像値が同じであれば、血管の領域よりも造影剤の領域の明度を小さくしてもよい。ここで変換テーブルとは、複数の画像値のそれぞれに対応する明度を示すテーブルである。また、分光画像の画像値が造影剤に対応する画像値の数値範囲に含まれる場合、光音響画像の画像値に対応する明度を、血管に対応するそれよりも大きくしてもよい。すなわち、造影剤の領域と血管の領域を比べたときに、光音響画像の画像値が同じであれば、血管の領域よりも造影剤の領域の明度を大きくしてもよい。また、分光画像の画像値によって、光音響画像の画像値を明度に変換しない光音響画像の画像値の数値範囲が異なっていてもよい。
【００９５】
変換テーブルは、造影剤の種類や濃度、また照射光の波長によって適したものに変更してもよい。そこで、画像処理装置１３００は、造影剤に関する情報と、照射光の波長を示す情報とに基づいて、光音響画像の画像値から明度への変換テーブルを決定してもよい。画像処理装置１３００は、造影剤に対応する光音響画像の画像値が血管に対応するそれよりも大きくなると推定される場合、造影剤に対応する光音響画像の画像値に対応する明度を血管に対応するそれよりも小さくしてもよい。反対に、画像処理装置１３００は、造影剤に対応する光音響画像の画像値が血管に対応するそれよりも小さくなると推定される場合、造影剤に対応する光音響画像の画像値に対応する明度を血管に対応するそれよりも大きくしてもよい。
【００９６】
図１０に示すＧＵＩは、波長７９７ｎｍに対応する吸収係数画像（第１光音響画像）２１００、波長８３５ｎｍに対応する吸収係数画像（第２光音響画像）２２００、酸素飽和度画像（分光画像）２３００を表示する。それぞれの画像がいずれの波長の光によって生成された画像であるかをＧＵＩに表示してもよい。本実施形態では、光音響画像と分光画像の両方を表示しているが、分光画像だけを表示してもよい。また、画像処理装置１３００は、ユーザーの指示に基づいて、光音響画像の表示と分光画像の表示とを切り替えても
よい。
【００９７】
なお、表示部１６０は動画像を表示可能であってもよい。例えば、画像処理装置１３００が、第１光音響画像２１００、第２光音響画像２２００および分光画像２３００の少なくともいずれかを時系列に生成し、生成された時系列の画像に基づいて動画像データを生成して表示部１６０に出力する構成としてもよい。なお、リンパの流れる回数が比較的少ないことに鑑みて、ユーザーの判断時間を短縮するために、静止画または時間圧縮された動画像として表示することも好ましい。また、動画像表示において、リンパが流れる様子を繰り返し表示することもできる。動画像の速度は、予め規定された所定の速度やユーザーに指定された所定の速度であってもよい。
【００９８】
また、動画像を表示可能な表示部１６０において、動画像のフレームレートを可変にすることも好ましい。フレームレートを可変にするために、図１０のＧＵＩに、ユーザーがフレームレートを手動で入力するためのウィンドウや、フレームレートを変更するためのスライドバーなどを追加してもよい。ここで、リンパ液はリンパ管内を間欠的に流れるため、取得された時系列のボリュームデータの中でも、リンパの流れの確認に利用できるのは一部だけである。そのため、リンパの流れの確認する際に実時間表示を行うと効率が低下する場合がある。そこで、表示部１６０に表示される動画像のフレームレートを可変にすることで、表示される動画像の早送り表示が可能になり、ユーザーがリンパ管内の流体の様子を短時間で確認できるようになる。
【００９９】
また、表示部１６０は、所定の時間範囲内の動画像を繰り返し表示可能であってもよい。その際、繰り返し表示を行う範囲をユーザーが指定可能とするためのウィンドウやスライドバーなどのＧＵＩを、図１０に追加することも好ましい。これにより、例えばリンパ管内を流体が流れる様子をユーザーが把握しやすくなる。
【０１００】
以上説明したように、画像処理装置１３００および情報処理装置としてのコンピュータ１５０の少なくとも１つは、分光画像取得手段、造影剤情報取得手段、領域決定手段、光音響画像取得手段、および表示制御手段の少なくとも一つを有する装置として機能する。なお、それぞれの手段は、互いに異なるハードウェアで構成されていてもよいし、１つのハードウェアで構成されていてもよい。また、複数の手段が１つのハードウェアで構成されていてもよい。
【０１０１】
本実施形態では、造影剤に対応する式（１）による値が負値となる波長を選択することにより、血管と造影剤とを識別できるようにしたが、造影剤に対応する画像値が血管と造影剤とを識別できる限り、造影剤に対応する画像値がいかなる値であってもよい。例えば、造影剤に対応する分光画像（酸素飽和度画像）の画像値が、６０％より小さくなるまたは１００％より大きくとなる場合などにも、本工程で説明した画像処理を適用することができる。
【０１０２】
本実施形態では、造影剤としてＩＣＧを用いる場合の例を説明したが、ＩＣＧ以外のいかなる造影剤に本実施形態に係る画像処理を適用してもよい。また、画像処理装置１３００は、複数種類の造影剤のうち、被検体１００に導入した造影剤の種類の情報に基づいて、造影剤の種類に応じた画像処理を実行してもよい。
【０１０３】
本実施形態では、複数の造影剤に関する情報のうち、取得された造影剤に関する情報に基づいて画像処理方法を決定する場合について説明した。ただし、撮影に使用される造影剤の条件が一意に決定されている場合は、その造影剤の条件に対応した画像処理が予め設定されていてもよい。この場合も、上述した本実施形態に係る画像処理を適用することができる。
【０１０４】
本実施形態では、複数の波長に対応する光音響画像に基づいた分光画像に画像処理を適用する例を説明したが、１つの波長に対応する光音響画像に本実施形態に係る画像処理を適用してもよい。すなわち、画像処理装置１３００は、造影剤に関する情報に基づいて、光音響画像中の造影剤に対応する領域を決定し、造影剤に対応する領域とその領域以外の領域とを識別できるように、光音響画像を表示させてもよい。また、画像処理装置１３００は、予め設定された造影剤に対応する画像値の数値範囲を有する領域と、それ以外の領域とを識別できるように、分光画像または光音響画像を表示させてもよい。
【０１０５】
本実施形態では、情報処理装置としてのコンピュータ１５０が複数の波長の光を照射して分光画像を生成する例を説明したが、１つの波長の光だけを照射して光音響画像を生成する場合に本実施形態に係る波長の決定方法で波長を決定してもよい。すなわち、コンピュータ１５０は、造影剤に関する情報に基づいて、照射光の波長を決定してもよい。この場合、コンピュータ１５０は、光音響画像中の造影剤の領域の画像値が、血管の領域の画像値と識別できるような波長を決定することが好ましい。
【０１０６】
なお、光照射部１１０は、光音響画像中の造影剤の領域の画像値と、血管の領域の画像値とを識別できるように予め設定された波長の光を被検体１００に照射してもよい。また、光照射部１１０は、分光画像中の造影剤の領域の画像値と、血管の領域の画像値とを識別できるように予め設定された複数波長の光を被検体１００に照射してもよい。
【０１０７】
（ＬＶＡの効果判定）
次に、本実施形態のシステムで得られた画像を用いて、ＬＶＡの効果判定を行う方法を説明する。ここでは、ＬＶＡの術前と術後にそれぞれ同じ被検体に対する光音響測定が実施され、図５で説明した処理によって術前の画像（第１画像とよぶ）と術後の画像（第２画像とよぶ）が生成されているものとする。なお、第１画像および第２画像は、付帯情報または当該被検体のカルテ情報に紐づけて記憶装置１２００に保存されているとよい。付帯情報またはカルテ情報は、例えば、被検体の情報、光音響測定の情報（造影剤の種類および濃度、測定光の波長、測定日時など）、ＬＶＡの情報（手術日時、患部、吻合部位の位置など）を含んでいるとよい。第１画像と第２画像のそれぞれは、各波長の光音響画像と分光画像の少なくともいずれか、または両方を含んでいるとよい。光音響画像と分光画像は別々の画像データ（ファイル）でもよいし、光音響画像の画像値をもつチャネルと分光画像の画像値（例えば、式（１）で計算された値）をもつチャネルを含む１つの画像データでもよい。
【０１０８】
図１４は、画像処理装置１３００によって実行される効果判定処理のフローチャートの一例である。
（Ｓ１４０：画像取得工程）
画像取得手段としての画像処理装置１３００は、ＬＶＡの術前に被検体から得られた第１画像のデータと、ＬＶＡの術後に同じ被検体から得られた第２画像データとを、記憶装置１２００から取得する。例えば、ユーザーが、入力装置１５００を用いて、効果判定の対象とする被検体あるいは手術を指示すると、画像処理装置１３００が記憶装置１２００に記憶された画像群の付帯情報またはカルテ情報を参照し、対応する第１画像と第２画像のデータを読み込むとよい。例えば、画像処理装置１３００は、カルテ情報を参照してＬＶＡを行った日時を読み出し、画像群の付帯情報を参照してＬＶＡを行った日時の前後に撮影された画像を第１画像と第２画像として読み込む。
【０１０９】
（Ｓ１４１：前処理工程）
前処理手段としての画像処理装置１３００は、第１画像と第２画像の条件をそろえるための前処理を行う。第１画像と第２画像はまったく異なるタイミング（術前と術後）に撮
影された画像であるため、第１画像と第２画像の測定条件は完全には一致しない。例えば、被検体の姿勢の違いなどに起因し、第１画像と第２の画像の測定視野（測定範囲）にずれが生じる。また、測定時の環境、被検体の状態、造影剤の状態などによって、第１画像と第２画像の間で輝度レベル等に差が生じる可能性もある。したがって、第１画像と第２画像の画像特徴を比較するに際しては、測定条件の違いに起因する画像情報の差を出来る限り除去することが、比較結果の信頼性向上の点から望ましい。Ｓ１４１の前処理はそのような目的で、後段の特徴量算出処理に先立ち行われる。なお、前処理は、第１画像と第２画像の両方にかけてもよいし、一方の画像のみにかけてもよい。前処理は特徴量を算出する上で必須の処理ではないため、実行されなくてもよい。
【０１１０】
画像処理装置１３００は、前処理として、第１画像と第２の画像の位置合わせを行う処理を行うとよい。２つの画像の位置合わせは、例えば、各画像に共通に表れている構造物の形状等の類似性に基づいて行うことができる。この場合に、画像処理装置１３００は、各画像における血管像に基づいて第１画像と第２画像の位置合わせを行うことが好ましい。なぜなら、ＬＶＡの術前と術後でリンパ管に生じる形状や本数の変化は、静脈に生じる変化よりも大きいからである。さらに好ましくは、血管像のなかでも、静脈像に基づいて２つの画像の位置合わせを行うとよい。動脈はポンピングの影響などにより形状が変化し得るのに対し、静脈の形状変化はきわめて小さいからである。
【０１１１】
光音響画像においては、血管とリンパ管の画像値（輝度）がそれ以外の組織の画像値に比べて有意に大きい。したがって、光音響画像の画像値が所定の閾値より大きい領域（画素群）を抽出することによって、第１画像や第２画像における前景（血管像およびリンパ管像）と背景（それ以外の組織）とを分離することができる。また、分光画像においては、静脈と動脈とリンパ管の間で画像値（式（１）で計算された値）の数値範囲が異なる。したがって、分光画像の画像値を参照することにより、第１画像や第２画像における前景領域をさらに静脈像と動脈像とリンパ管像に分離することができる。例えば前述の例であれば、画像処理装置１３００は、分光画像における画像値が６０％以上９０％未満の領域（画素群）を静脈像、画像値が９０％以上１００％以下の領域（画素群）を動脈像、それ以外の領域をリンパ管像もしくは吻合位置の下流側の静脈像として抽出してもよい。
【０１１２】
画像処理装置１３００は、前処理として、第１画像と第２画像のそれぞれから、後段の特徴量算出に用いる像を選択的に分離（抽出）処理を行うとよい。例えば、リンパ管像に関する特徴量を算出したい場合であれば、第１画像と第２画像のそれぞれからリンパ管像の領域を選択的に分離すればよい。あるいは、血管像に関する特徴量を算出した場合であれば、第１画像と第２画像のそれぞれから静脈像もしくは動脈像またはその両方を分離すればよい。各像の分離は、上述のとおり、光音響画像の画像値（輝度）と分光画像の画像値（式（１）で計算された値）に基づいて行うことができる。
【０１１３】
図１５に、前処理の一例を模式的に示す。第１画像と第２画像は同じ被検体の同じ部位を撮影したものであるが、２つの画像の視野範囲はややずれており、リンパ管像にも違いがあることがわかる。そこで、各画像に含まれている静脈像に基づき２つの画像の位置合わせが行われる。この例では、第１画像と第２画像の対応する位置に比較領域（特徴量の算出および比較の対象となる領域）が設定されている。なお、画像処理装置１３００は、第１画像と第２画像のいずれか又は両方を平行移動・回転・変形することにより、２つの画像の画像座標系そのものを一致させてもよい。次に、画像処理装置１３００は、各画像（の比較領域）から、特徴量算出に用いる像を選択的に分離する。図１５は、各画像の比較領域内からリンパ管像を選択的に分離した例を示している。このような前処理を施すことにより、２つの画像の間の画像特徴の比較を精度良く行うことができる。
【０１１４】
（Ｓ１４２：特徴量算出工程）
特徴量算出手段としての画像処理装置１３００は、第１画像および第２画像をそれぞれ解析することにより、各画像の特徴量を算出する。特徴量の算出には、Ｓ１４１の前処理で得られた画像を用いるとよい。特徴量としては、ＬＶＡの術前と術後で変化し得る画像特徴に関連するものであれば、どのような指標を用いてもよい。例えば、画像処理装置１３００は、第１画像および第２画像をそれぞれ解析することにより、第１画像および第２画像に含まれる血管像およびリンパ管像の少なくとも一つから特徴量を算出する。
【０１１５】
本発明者らの被験者実験において、ＬＶＡの術前と術後で、リンパ管像に有意な変化があるという所見が得られた。具体的には、術後に、リンパ管の本数やリンパ管の形状の複雑さの増加がみられた。したがって、リンパ管像から算出される特徴量を用いることで、ＬＶＡによる効果を評価することができると期待できる。リンパ管の本数の増加を評価するための特徴量（指標）としては、例えば、リンパ管の密度や、リンパ管の蛇行率などを用いることができる。リンパ管の密度としては、単位面積あたりのリンパ管の本数をカウントしてもよいし、画像中のリンパ管像の面積の割合を計算してもよい。リンパ管の蛇行率は、例えば、リンパ管上の２点間の直線距離と管路長（リンパ管に沿った長さ）の比から計算すればよい。
【０１１６】
また本発明者らの被験者実験において術前の画像に比べて術後の画像の方が血管像がシャープに見えるという所見が得られた。したがって、血管像から算出される特徴量を用いても、ＬＶＡによる効果を評価することができると期待できる。血管像のシャープさを評価するための特徴量（指標）としては、例えば、血管像のコントラスト、空間微分値（エッジ強度）、空間周波数などを用いることができる。
【０１１７】
（Ｓ１４３：評価工程）
評価手段としての画像処理装置１３００は、第１画像から得られた特徴量と第２画像から得られた特徴量に基づいて、ＬＶＡが被検体に与えた変化を示す評価情報を生成する。例えば、画像処理装置１３００は、第２画像（術後の画像）の特徴量と第１画像（術前の画像）の特徴量の差又は比を評価情報として求めてもよい。また、画像処理装置１３００は、２つの特徴量の差又は比が所定の条件を満足するか否か（例えば、所定の閾値を超えるか否か、あるいは、所定の数値範囲内か外か）を判定することで、ＬＶＡの効果の程度（効果あり／なし、効果大／中／小など）を評価情報として求めてもよい。
【０１１８】
（Ｓ１４４：情報出力工程）
情報出力手段としての画像処理装置１３００は、Ｓ１４３で得られた評価情報を出力する。画像処理装置１３００は、Ｓ１４３で得られた評価情報を表示装置に出力することにより、評価情報を表示装置に表示させてもよい。よって、画像処理装置１３００は、評価情報の表示を制御する表示制御手段ともいえる。
また、画像処理装置１３００は、Ｓ１４３で得られた評価情報を記憶装置１２００に出力することにより、評価情報を記憶装置１２００に記憶させてもよい。また、画像処理装置１３００は、第１画像および第２画像の少なくとも一つと、評価情報とを関連づけて記憶装置１２００に記憶させてもよい。例えば、画像処理装置１３００は、評価情報を第１画像および第２画像の少なくとも一つの付帯情報とすることにより関連づけて記憶させてもよい。第１画像および第２画像の少なくとも一つがＤＩＣＯＭに準拠した画像である場合、画像処理装置１３００は、評価情報をＤＩＣＯＭタグに書き込むことにより関連付けて記憶させてもよい。以上より、画像処理装置１３００は、評価情報の記憶を制御する記憶制御手段ともいえる。なお、画像処理装置１３００が評価情報を記憶させる手段は、記憶装置１２００に限らず、いかなる記憶手段であってもよい。
図１６は、表示装置に出力される評価情報出力画面の一例である。図１６の例では、効果判定に用いた第１画像（術前の画像）と第２画像（術後の画像）と共に評価情報が表示されている。このような画面を見ることで、ユーザーはＬＶＡの効果を直接的かつ定量的
に評価することが可能となる。
【０１１９】
なお、本実施形態では、術前と術後の画像特徴を比較することによりＬＶＡの効果判定を行ったが、他の方法によりＬＶＡの効果判定を行ってもよい。例えば、ＬＶＡによりリンパ管が静脈に吻合されると静脈にリンパ液が流入するため、吻合位置の上流側の静脈像（造影剤を含むリンパ液が混合されていない血液の像）と下流側の静脈像（血液と造影剤を含むリンパ液が混合した像）の間で画像特徴が変化する。したがって、画像処理装置１３００は、分光画像から、吻合位置の上流側の静脈像の画像値（式（１）で計算された値）と吻合位置の下流側の静脈像の画像値を取得し、２つの画像値の差又は比に基づいてＬＶＡの効果判定を行ってもよい。また、吻合位置の上流側の静脈像、下流側の静脈像、吻合位置のリンパ管領域の分光画像の画像値を用いて、その差や比、さらには算出される混合比に基づいてＬＶＡの効果判定を行ってもよい。また、分光画像の画像値でなく、光音響画像の画像値を用いて、その差または比に基づいてＬＶＡの効果判定を行ってもよい。
【０１２０】
なお、吻合位置は、ユーザーが画像上で指定してもよいし、画像処理装置１３００が画像の付帯情報又はカルテ情報から吻合位置の情報を取得してもよい。また、画像処理装置１３００が第２画像（術後の画像）の中の血管像およびリンパ管像から算出された特徴量と、第１画像（術前の画像）の中の血管像およびリンパ管像から算出された特徴量とに基づいて吻合位置を同定してもよい。例えば、画像処理装置１３００が第２画像の中の血管像およびリンパ管像から算出された特徴量と、第１画像の中の血管像およびリンパ管像から算出された特徴量との差または比に基づいて吻合位置を同定する。
また、記憶制御手段としての画像処理装置１３００が、評価情報と、第２画像中のＬＶＡの吻合位置の情報とを関連づけて記憶装置に１２００記憶させてもよい。例えば、吻合位置取得手段としての画像処理装置１３００が、ユーザーの指示または画像解析に基づいて、ＬＶＡの吻合位置の情報を取得する。そして、第２画像（術後の画像）がＤＩＣＯＭに準拠した画像である場合、画像処理装置１３００は、評価情報とＬＶＡの吻合位置の情報とを第２画像のＤＩＣＯＭタグに書き込むことにより関連付けて記憶させてもよい。
【０１２１】
（その他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【０１２２】
１１００  光音響装置
１２００  記憶装置
１３００  画像処理装置
１４００  表示装置
１５００  入力装置
【図１】
2020028671.tif 000004
【図２】
2020028671.tif 000005
【図３】
2020028671.tif 000006
【図４】
2020028671.tif 000007
【図５】
2020028671.tif 000008
【図６】
2020028671.tif 000009
【図７】
2020028671.tif 000010
【図８】
2020028671.tif 000011
【図９】
2020028671.tif 000012
【図１０】
2020028671.tif 000013
【図１１】
2020028671.tif 000014
【図１２】
2020028671.tif 000015
【図１３】
2020028671.tif 000016
【図１４】
2020028671.tif 000017
【図１５】
2020028671.tif 000018
【図１６】
2020028671.tif 000019